(57)【要約】【課題】熱負荷を保護して正常に稼働させることができる熱源制御装置を提供することである。【解決手段】実施形態の熱源制御装置は、冷凍機と、熱負荷と、熱量取得手段と、を持つ熱源システムの熱源制御装置である。冷凍機は、冷媒を冷却する。熱負荷は、冷媒により冷却される。熱量取得手段は、熱負荷の発熱量に関する情報を取得する。熱源制御装置は、熱量取得手段の取得値に基づいて、冷凍機が供給する冷媒の温度を制御する。【選択図】図１
2017219271.tif 000002
【特許請求の範囲】
【請求項１】
冷媒を冷却する冷凍機と、
前記冷媒により冷却される熱負荷と、
前記熱負荷の発熱量に関する情報を取得する熱量取得手段と、
を備える熱源システムの熱源制御装置であって、
前記熱量取得手段の取得値に基づいて、前記冷凍機が供給する前記冷媒の温度を制御する、
熱源制御装置。
【請求項２】
前記熱源システムは、複数の前記冷凍機を備える、
請求項１に記載の熱源制御装置。
【請求項３】
前記熱量取得手段の取得値が所定の閾値を超えた場合に、前記冷媒の温度を制御する、
請求項１または２に記載の熱源制御装置。
【請求項４】
前記熱負荷は、発熱量に応じて可変バルブの開度を制御することで、供給される前記冷媒の流量を制御可能とされ、
前記熱量取得手段は、前記熱負荷に供給された前記冷媒の流量を計測する流量計であり、
前記熱量取得手段の取得値に基づいて、前記冷媒の温度を制御する、
請求項１から３のいずれか１項に記載の熱源制御装置。
【請求項５】
前記熱源システムは、
前記冷媒を前記冷凍機から前記熱負荷に供給する往水管路と、
前記冷媒を前記熱負荷から前記冷凍機に還流させる環水管路と、
前記往水管路と前記環水管路とを接続するバイパス管路と、
を備え、
前記熱負荷は、発熱量に応じて可変バルブの開度を制御することで、供給される前記冷媒の流量を制御可能とされ、
前記熱量取得手段は、前記バイパス管路を通流する前記冷媒の流量を計測する流量計であり、
前記熱量取得手段の取得値が、前記環水管路から前記往水管路への通流を示す場合に、前記冷媒の温度を制御する、
請求項１から３のいずれか１項に記載の熱源制御装置。
【発明の詳細な説明】
【技術分野】
【０００１】
本発明の実施形態は、熱源制御装置に関する。
【背景技術】
【０００２】
従来、冷媒を冷却する冷凍機と、冷媒により冷却される、例えば空調設備や製造装置等の熱負荷と、を備える熱源システムがある。このような熱源システムでは、冷凍機により予め決められた所定の温度に冷却された冷媒の供給量を、熱負荷の発熱量に応じて制御することで、熱負荷を適切に冷却している。しかしながら、熱負荷における発熱量が増大した場合、冷媒の圧送を担うポンプの能力が不足し、熱負荷を十分に冷却して保護することが困難となる場合があった。
【先行技術文献】
【特許文献】
【０００３】
【特許文献１】特開２００９−３６４９４号公報
【発明の概要】
【発明が解決しようとする課題】
【０００４】
本発明が解決しようとする課題は、熱負荷を保護して正常に稼働させることができる熱源制御装置を提供することである。
【課題を解決するための手段】
【０００５】
実施形態の熱源制御装置は、冷凍機と、熱負荷と、熱量取得手段と、を持つ熱源システムの熱源制御装置である。冷凍機は、冷媒を冷却する。熱負荷は、冷媒により冷却される。熱量取得手段は、熱負荷の発熱量に関する情報を取得する。熱源制御装置は、熱量取得手段の取得値に基づいて、冷凍機が供給する冷媒の温度を制御する。
【図面の簡単な説明】
【０００６】
【図１】実施形態に係る熱源システムの構成を示す図。
【図２】冷凍機の出口温度と所要動力の関係を示すグラフ。
【図３】実施形態の変形例に係る熱源システムの構成を示す図。
【発明を実施するための形態】
【０００７】
以下、実施形態の熱源制御装置を、図面を参照して説明する。
【０００８】
図１は、実施形態に係る熱源システムの構成を示す図である。
図１に示すように、熱源システム１は、複数の冷凍機（第１冷凍機１０Ａおよび第２冷凍機１０Ｂ）が配置された冷水回路２０により、例えば空調設備や製造装置等の熱負荷２Ａ〜２Ｃに対して冷熱源を供給するシステムである。熱源システム１は、上述した各冷凍機１０Ａ，１０Ｂおよび熱負荷２Ａ〜２Ｃと、熱負荷２Ａ〜２Ｃの発熱量に関する情報を取得する熱量取得手段５と、熱源制御装置６０と、を備えている。
【０００９】
冷水回路２０は、熱媒体として冷水（冷媒）を冷却する第１冷凍機１０Ａおよび第２冷凍機１０Ｂと、各冷凍機１０Ａ，１０Ｂから熱負荷２Ａ〜２Ｃに冷水を供給する往水管路３０と、熱負荷２Ａ〜２Ｃから各冷凍機１０Ａ，１０Ｂに冷水を還流させる環水管路４０と、往水管路３０と環水管路４０とを接続するバイパス管路５０と、を備えている。
【００１０】
各冷凍機１０Ａ，１０Ｂは、いずれもインバータターボ冷凍機である。本実施形態では、各冷凍機１０Ａ，１０Ｂは同等のものである。第１冷凍機１０Ａには、第１冷却水ポンプ１６Ａにより、第１冷却水配管１２Ａを通じて第１冷却塔１４Ａから冷却水が循環供給されている。第２冷凍機１０Ｂには、第２冷却水ポンプ１６Ｂにより、第２冷却水配管１２Ｂを通じて第２冷却塔１４Ｂから冷却水が循環供給されている。また、各冷凍機１０Ａ，１０Ｂには、上述した往水管路３０および環水管路４０が接続されている。
【００１１】
図２は、冷凍機の出口温度と所要動力の関係を示すグラフである。図２の横軸は、冷凍機が供給する冷水の温度である。図２の縦軸は、圧縮機の所要動力である。
各冷凍機１０Ａ，１０Ｂは、その出口から供給される冷水の出口温度を任意設定可能とされ、出口温度が一定となるように制御する。各冷凍機１０Ａ，１０Ｂにおける冷水の出口温度は、圧縮機の動力を制御することにより調整可能となっている。具体的に、各冷凍機１０Ａ，１０Ｂにおける冷水の出口温度は、圧縮機の動力を大きくすることで低下し、圧縮機の動力を小さくすることで上昇する（図２参照）。各冷凍機１０Ａ，１０Ｂの冷熱供給能力の合計は、熱負荷２Ａ〜２Ｃの最大発熱量（最大負荷）の合計に対応した容量を満たすように設計されている。なお、各冷凍機１０Ａ，１０Ｂの冷熱供給能力は、冷水の出口温度および供給流量により決まる。
【００１２】
往水管路３０は、各冷凍機１０Ａ，１０Ｂそれぞれの出口から延びる一次側往水管路３１Ａ，３１Ｂと、一次側往水管路３１Ａ，３１Ｂから流れた冷水を合流させる往ヘッダ３３と、往ヘッダ３３から各熱負荷２Ａ〜２Ｃそれぞれの入口に延びる二次側往水管路３５Ａ〜３５Ｃと、を有する。往ヘッダ３３は、一次側往水管路３１Ａ，３１Ｂが接続される一次往ヘッダ３３ａと、二次側往水管路３５Ａ〜３５Ｃが接続される二次往ヘッダ３３ｂと、を備えている。一次往ヘッダ３３ａと二次往ヘッダ３３ｂとの間には、冷水を各熱負荷２Ａ〜２Ｃに圧送するための３台の二次ポンプ３７Ａ〜３７Ｃと、制御弁３９と、が並列に設けられている。二次ポンプ３７Ａ〜３７Ｃおよび制御弁３９は、一次往ヘッダ３３ａと二次往ヘッダ３３ｂとの圧力差が一定となるように制御されている。なお、二次ポンプの台数は、３台に限定されない。
【００１３】
環水管路４０は、各熱負荷２Ａ〜２Ｃそれぞれの出口から延びる二次側環水管路４１Ａ〜４１Ｃと、二次側環水管路４１Ａ〜４１Ｃから流れた冷水を合流させる環ヘッダ４３と、環ヘッダ４３から各冷凍機１０Ａ，１０Ｂそれぞれの入口に延びる一次側環水管路４５Ａ，４５Ｂと、を有する。各二次側環水管路４１Ａ〜４１Ｃには、それぞれ流量計４９Ａ〜４９Ｃが設けられている。各一次側環水管路４５Ａ，４５Ｂには、冷水を環ヘッダ４３から各冷凍機１０Ａ，１０Ｂそれぞれに圧送する一次ポンプ４７Ａ，４７Ｂが設けられている。一次ポンプ４７Ａ，４７Ｂは、一定の圧力で冷水を圧送する。一次ポンプ４７Ａ，４７Ｂそれぞれの圧送能力の和は、二次ポンプ３７Ａ〜３７Ｃの最大圧送能力の和と同等になっている。
【００１４】
バイパス管路５０は、一次往ヘッダ３３ａと環ヘッダ４３との間に配置されている。バイパス管路５０は、一次往ヘッダ３３ａと環ヘッダ４３との間で冷水を相方向に通流可能となっている。
【００１５】
熱負荷２Ａ〜２Ｃそれぞれは、その内部に設けられた可変バルブにより、二次側往水管路３５Ａ〜３５Ｃから供給される冷水の流量を制御して、自身を冷却している。すなわち、熱負荷２Ａ〜２Ｃは、自身の発熱量に応じて可変バルブの開度を制御している。
【００１６】
熱源制御装置６０は、流量計４９Ａ〜４９Ｃの計測値、並びに各冷凍機１０Ａ，１０Ｂおよび各一次ポンプ４７Ａ，４７Ｂの稼働状況に関する情報を取得する。熱源制御装置６０は、流量計４９Ａ〜４９Ｃの計測値に基づいて、冷凍機１０Ａ，１０Ｂが供給する冷水の出口温度を制御する。熱源制御装置６０は、後述する場合を除いて、各冷凍機１０Ａ，１０Ｂの冷水の出口温度を予め決められた所定温度に設定している。以下では、各冷凍機１０Ａ，１０Ｂの冷水の出口温度が所定温度となるように運転されている状態を、各冷凍機１０Ａ，１０Ｂの通常運転という。
【００１７】
各冷凍機１０Ａ，１０Ｂそれぞれには、一次ポンプ４７Ａ，４７Ｂにより冷水が循環供給されている。各冷凍機１０Ａ，１０Ｂにより生成された冷水は、一次往ヘッダ３３ａにおいて混合される。一次往ヘッダ３３ａにおいて混合された冷水は、二次ポンプ３７Ａ〜３７Ｃにより二次往ヘッダ３３ｂへ圧送された後、各熱負荷２Ａ〜２Ｃへ送られる。各熱負荷２Ａ〜２Ｃにおいて熱交換された冷水は、環ヘッダ４３で混合される。環ヘッダ４３において混合された冷水は、一次ポンプ４７Ａ，４７Ｂにより各冷凍機１０Ａ，１０Ｂへ送られる。
【００１８】
各熱負荷２Ａ〜２Ｃに供給される冷水の流量が一次ポンプ４７Ａ，４７Ｂの圧送能力の和に基づく流量以下となるように、各熱負荷２Ａ〜２Ｃのバルブの開度が制御されている場合、各冷凍機１０Ａ，１０Ｂから供給される冷水の一部が余剰となる。余剰となった冷水は、バイパス管路５０を通って、一次往ヘッダ３３ａから環ヘッダ４３へ流れる。
【００１９】
各熱負荷２Ａ〜２Ｃに供給される冷水の流量が一次ポンプ４７Ａ，４７Ｂの圧送能力の和に基づく流量よりも大きくなるように、各熱負荷２Ａ〜２Ｃのバルブの開度が制御されている場合（例えば全開の場合）、各熱負荷２Ａ〜２Ｃに供給される冷水が不足する。この場合には、バイパス管路５０を通じて、環ヘッダ４３から一次往ヘッダ３３ａへ冷水が流れる。
【００２０】
ここで、流量計４９Ａ〜４９Ｃの計測値は、各熱負荷２Ａ〜２Ｃに供給された冷水の流量である。各熱負荷２Ａ〜２Ｃに供給された冷水の流量は、各熱負荷２Ａ〜２Ｃが自身の発熱量に応じて制御した可変バルブの開度に基づく。このため、流量計４９Ａ〜４９Ｃの計測値は、熱負荷２Ａ〜２Ｃの発熱量に関する情報を含んでいる。したがって、本実施形態では、流量計４９Ａ〜４９Ｃが上述した熱量取得手段５となっている。
【００２１】
以下、熱源システム１の運用について説明する。
熱源システム１は、通常モードと、省エネモードと、を有する。通常モードは、第１冷凍機１０Ａおよび第２冷凍機１０Ｂの両方を運転させる。省エネモードは、第２冷凍機１０Ｂおよび一次ポンプ４７Ｂを停止して、第１冷凍機１０Ａのみを運転させることで、熱源システム１のエネルギー消費量を削減している。省エネモードは、熱負荷２Ａ〜２Ｃの発熱量が通常運転時における第１冷凍機１０Ａの冷熱供給能力以下の場合に実行される。
【００２２】
以下、省エネモードについて詳述する。
省エネモードでは、熱負荷２Ａ〜２Ｃの発熱量が第１冷凍機１０Ａの冷熱供給能力以下の場合、各熱負荷２Ａ〜２Ｃは、バルブの開度を調整して冷水との熱交換量を制御する。この状態では、各熱負荷２Ａ〜２Ｃに供給される冷水の流量は、一次ポンプ４７Ａの圧送量以下であるため、流量計４９Ａ〜４９Ｃの計測値の和は、一次ポンプ４７Ａの圧送量以下となっている。
【００２３】
省エネモードを実行している際に、熱負荷２Ａ〜２Ｃの発熱量が第１冷凍機１０Ａの冷熱供給能力を超える場合がある。この場合、各熱負荷２Ａ〜２Ｃは、冷水との熱交換量の不足を補おうとして、要求する流量を増加させるべくバルブを全開にする。すると、二次往ヘッダ３３ｂ内の圧力が低下するので、二次ポンプ３７Ａ〜３７Ｃの圧送量が上昇する。なお、この状態では、一次ポンプ４７Ａの圧送量では冷水の供給流量が不足している。このため、二次ポンプ３７Ａ〜３７Ｃの圧送量は、一次ポンプ４７Ａの圧送量よりも大きくなっている。その結果、一次往ヘッダ３３ａ内の圧力が低下するので、バイパス管路５０を通って、環ヘッダ４３から一次往ヘッダ３３ａへ冷水が流れる。
【００２４】
このように熱負荷２Ａ〜２Ｃの発熱量が第１冷凍機１０Ａの冷熱供給能力を超える場合には、各熱負荷２Ａ〜２Ｃに供給される冷水の流量が、一次ポンプ４７Ａの圧送量より大きくなる。これにより、流量計４９Ａ〜４９Ｃの計測値の和は、一次ポンプ４７Ａの圧送量より大きくなっている。なお、環ヘッダ４３から一次往ヘッダ３３ａへ流れる冷水は、各熱負荷２Ａ〜２Ｃにおいて熱交換しているので、第１冷凍機１０Ａの冷水の出口温度よりも高温になっている。したがって、二次ポンプ３７Ａ〜３７Ｃの圧送量が上昇しても、冷熱供給量は増加しない。
【００２５】
熱源制御装置６０は、各冷凍機１０Ａ，１０Ｂおよび各一次ポンプ４７Ａ，４７Ｂの稼働状況に関する情報から、省エネモードの実行中であるか否かを判定する。熱源制御装置６０は、省エネモードの実行中である場合、閾値を一次ポンプ４７Ａの圧送量として、流量計４９Ａ〜４９Ｃの計測値の和（熱量取得手段５の取得値）が閾値を超えているか否かを判定する。流量計４９Ａ〜４９Ｃの計測値の和が閾値以下の場合、熱源制御装置６０は、第１冷凍機１０Ａの冷水の出口温度を所定温度に設定する。流量計４９Ａ〜４９Ｃの計測値の和が閾値を超えている場合、第１冷凍機１０Ａの冷水の出口温度を低下させるように制御する。これにより、第１冷凍機１０Ａの冷熱供給量が増加するので、各熱負荷２Ａ〜２Ｃにおける冷水との熱交換量の不足を補うことができる。
【００２６】
以上説明した実施形態では、熱源制御装置６０が熱量取得手段５の取得値に基づいて、第１冷凍機１０Ａが供給する冷水の出口温度を制御する構成とした。この構成によれば、第１冷凍機１０Ａから供給される冷水の供給流量を増加させることなく、冷熱供給量を増加させることができる。これにより、第１冷凍機１０Ａから供給される冷水の供給流量を増加させることが困難な場合等に、各熱負荷２Ａ〜２Ｃを適切に冷却できる。したがって、冷凍機および熱負荷を備える熱源システム１において、各熱負荷２Ａ〜２Ｃを保護して正常に稼働させることが可能な熱源制御装置６０を提供できる。
【００２７】
また、熱源システム１は、複数の冷凍機１０Ａ，１０Ｂを備える。このため、第２冷凍機１０Ｂを停止させる省エネモードを実行している際に、各熱負荷２Ａ〜２Ｃの発熱量が通常運転時の第１冷凍機１０Ａにおける冷熱供給能力の最大値を超えた場合に、第１冷凍機１０Ａから供給される冷水の供給流量を増加させることなく、冷熱供給量を増加させることができる。よって、第２冷凍機１０Ｂの起動に時間を要する場合や、すぐに各熱負荷２Ａ〜２Ｃの発熱量が低下すると想定される場合等に各熱負荷２Ａ〜２Ｃを適切に冷却できる。したがって、省エネルギーな熱源システム１において、各熱負荷２Ａ〜２Ｃを保護して正常に稼働させることが可能な熱源制御装置６０を提供できる。
【００２８】
また、熱源制御装置６０は、熱量取得手段５の取得値が所定の閾値を超えた場合に、第１冷凍機１０Ａが供給する冷水の出口温度を制御する。このため、熱量取得手段５の取得値が閾値を超えていない状態では、冷水の出口温度を常に一定の温度とする既存の熱源システムと同様に運用できる。したがって、冷水の出口温度を常に一定の温度とする既存の熱源システムに対して、本実施形態の熱源制御装置６０を付加的かつ安価に導入することができる。
【００２９】
また、熱負荷２Ａ〜２Ｃは、発熱量に応じて可変バルブの開度を制御することで、供給される冷水の流量を制御可能とされ、熱量取得手段５は、熱負荷２Ａ〜２Ｃに供給された冷水の流量を計測する流量計４９Ａ〜４９Ｃであり、流量計４９Ａ〜４９Ｃの計測値に基づいて、第１冷凍機１０Ａが供給する冷水の出口温度を制御する。このため、流量計４９Ａ〜４９Ｃにより熱負荷２Ａ〜２Ｃに供給された冷水の流量を計測するだけで、熱負荷２Ａ〜２Ｃの発熱量に関する情報、特に冷熱供給量が不足しているか否かの情報を取得できる。したがって、簡素な構成で上述した作用効果を奏する熱源システム１の熱源制御装置６０を提供できる。
【００３０】
なお、本実施形態では、流量計４９Ａ〜４９Ｃが各二次側環水管路４１Ａ〜４１Ｃに設けられているが、これに限定されない。流量計は、熱負荷２Ａ〜２Ｃに供給された冷水の流量を計測可能であればよく、例えば各二次側往水管路３５Ａ〜３５Ｃに設けられていてもよい。
【００３１】
次に、実施形態の変形例について説明する。
図３は、実施形態の変形例に係る熱源システムの構成を示す図である。
図１に示す実施形態では、熱量取得手段５は、各二次側環水管路４１Ａ〜４１Ｃに設けられた流量計４９Ａ〜４９Ｃである。これに対して図３に示す実施形態の変形例では、熱量取得手段５は、バイパス管路５０に設けられた流量計５１である点で、実施形態と異なっている。なお、図１に示す実施形態と同様の構成については、同一符号を付して詳細な説明を省略する。
【００３２】
図３に示すように、熱源システム１０１では、バイパス管路５０に流量計５１が設けられている。本変形例では、流量計５１は、冷水が一次往ヘッダ３３ａから環ヘッダ４３へ通流する場合には正の値を示し、冷水が環ヘッダ４３から一次往ヘッダ３３ａへ通流する場合には負の値を示すものとする。
【００３３】
熱源制御装置１６０は、流量計５１の計測値、並びに各冷凍機１０Ａ，１０Ｂおよび各一次ポンプ４７Ａ，４７Ｂの稼働状況に関する情報を取得する。熱源制御装置１６０は、流量計５１の計測値に基づいて、冷凍機１０Ａ，１０Ｂが供給する冷水の出口温度を制御する。
【００３４】
上記実施形態において説明したように、各熱負荷２Ａ〜２Ｃにおけるバルブ開度の変更に伴い、各熱負荷２Ａ〜２Ｃに供給される冷水が不足する場合には、バイパス管路５０を通って、環ヘッダ４３から一次往ヘッダ３３ａへ冷水が流れる。このため、流量計５１の計測値は、熱負荷２Ａ〜２Ｃの発熱量に関する情報を含んでいる。したがって、本変形例では、流量計５１が上述した熱量取得手段５となっている。
【００３５】
熱源システム１０１において、省エネモードを実行している際に、熱負荷２Ａ〜２Ｃの発熱量が第１冷凍機１０Ａの冷熱供給能力を超える場合、バイパス管路５０を通って、環ヘッダ４３から一次往ヘッダ３３ａへ冷水が流れる。よって、流量計５１の計測値が環ヘッダ４３から一次往ヘッダ３３ａへの通流を示す場合には、熱負荷２Ａ〜２Ｃの発熱量が第１冷凍機１０Ａの有する冷熱供給能力を超えている。
【００３６】
熱源制御装置１６０は、各冷凍機１０Ａ，１０Ｂおよび各一次ポンプ４７Ａ，４７Ｂの稼働状況に関する情報から、省エネモードの実行中であるか否かを判定する。熱源制御装置１６０は、省エネモードの実行中である場合、閾値をゼロとして、流量計５１の計測値（熱量取得手段５の取得値）が閾値以上か否かを判定する。流量計５１の計測値が閾値以上の場合、熱源制御装置１６０は、第１冷凍機１０Ａの冷水の出口温度を所定温度に設定する。流量計５１の計測値が閾値未満の場合、第１冷凍機１０Ａの冷水の出口温度を低下させるように制御する。これにより、第１冷凍機１０Ａの冷熱供給量が増加するので、各熱負荷２Ａ〜２Ｃにおける冷水との熱交換量の不足を補うことができる。
【００３７】
このように、本変形例では、熱量取得手段５は、バイパス管路５０を通流する冷水の流量を計測する流量計５１であり、流量計５１の計測値が、環水管路４０から往水管路３０への通流を示す場合に、第１冷凍機１０Ａが供給する冷水の出口温度を制御する。このため、流量計５１によりバイパス管路５０における冷水の通流方向を計測するだけで、熱負荷２Ａ〜２Ｃの発熱量に関する情報、特に冷熱供給量が不足しているか否かの情報を取得できる。したがって、簡素な構成で上述した実施形態と同様の作用効果を奏する熱源システム１０１の熱源制御装置１６０を提供できる。
【００３８】
なお、上記実施形態およびその変形例では、省エネモードにおいて第２冷凍機１０Ｂおよび一次ポンプ４７Ｂを停止して、第１冷凍機１０Ａのみを運転させている。しかしながら、これに限定されるものではなく、第１冷凍機１０Ａおよび一次ポンプ４７Ａを停止して、第２冷凍機１０Ｂのみを運転させ、熱源制御装置により第２冷凍機１０Ｂが供給する冷水の出口温度を制御してもよい。
【００３９】
また、上記実施形態およびその変形例では、熱源システムが２台の冷凍機１０Ａ，１０Ｂを備えているが、これに限定されるものではない。熱源システムは、３台以上の冷凍機を備えていてもよいし、１台の冷凍機を備えていてもよい。ただし、複数台の冷凍機を備えることで、上述した省エネモードを実行可能となるので、熱源システムの省エネルギー化を実現できる。
【００４０】
また、上記実施形態およびその変形例では、熱量取得手段５が流量計であるが、これに限定されず、熱量取得手段は、熱負荷の発熱量に関する情報を取得可能であればよい。熱量取得手段は、例えば熱負荷の発熱量に応じて変化するバルブの開度に関する情報を熱負荷から直接取得する構成を備えていてもよいし、熱負荷の消費電力から熱負荷の発熱量を取得する構成を備えていてもよい。
【００４１】
また、上記実施形態およびその変形例では、熱源制御装置６０，１６０は、熱負荷２Ａ〜２Ｃの発熱量が第１冷凍機１０Ａの冷熱供給能力を超える場合のみに、第１冷凍機１０Ａの冷水の出口温度を制御している。しかしながら、熱源制御装置６０，１６０は、熱負荷２Ａ〜２Ｃの発熱量が低下した場合に、第１冷凍機１０Ａの冷水の出口温度を上昇させるように制御してもよい。
【００４２】
また、上記実施形態およびその変形例では、熱源制御装置６０，１６０は、各冷凍機１０Ａ，１０Ｂおよび各一次ポンプ４７Ａ，４７Ｂの稼働状況に関する情報を取得して、省エネモードの実行中であるか否かを判定しているが、これに限定されない。熱源制御装置は、省エネモード実行中に作業者により手動で起動され、流量計の計測値（熱量取得手段５の取得値）のみを取得する構成であってもよい。
【００４３】
以上説明した少なくともひとつの実施形態によれば、熱源制御装置が熱量取得手段の取得値に基づいて、冷凍機が供給する冷水の出口温度を制御することにより、冷凍機から供給される冷水の供給流量を増加させることなく、冷熱供給量を増加させることができる。よって、冷凍機から供給される冷水の供給流量を増加させることが困難な場合等に、熱負荷を適切に冷却できる。したがって、冷凍機および熱負荷を備える熱源システムにおいて、熱負荷を保護して正常に稼働させることが可能な熱源制御装置を提供できる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１，１０１…熱源システム、２Ａ，２Ｂ，２Ｃ…熱負荷、５…熱量取得手段、１０Ａ…第１冷凍機、１０Ｂ…第２冷凍機、３０…往水管路、４０…環水管路、５０…バイパス管路、６０，１６０…熱源制御装置
【図１】
2017219271.tif 000003
【図２】
2017219271.tif 000004
【図３】
2017219271.tif 000005